(57)【要約】【課題】排尿後滴下があったとしてもズボン等のアウターに滲み出して汚すことのない、着用感の良好な男性用下着をを提供する。【解決手段】男性用下着１００は、前身側脇部（前身頃）１３２および後身頃１３４が一体化された一体化身生地部１３０と、裾部１４０と、腰ゴム部１５０と、男性の局部を収納する膨出部を備えた前立て部１２０とが縫合されて構成されている。男性用下着１００の略中心線近傍であって、表側開口部の下端Ｂから前立て部１２０と後身頃１３４との縫合線１８０までの間の領域Ｃにおいて、表側前立て部１２２と裏側前立て部１２４とが縫合されていない。【選択図】図１
2014114517.tif 000002
【特許請求の範囲】
【請求項１】
前身頃および後身頃が一体化された身生地部と、腰ゴム部と、局部を収納する膨出部を備えた前立て部とが縫合された男性用下着であって、
前記前立て部は、表側前立て部と裏側前立て部とから構成され、
前記男性用下着を平面に載置した状態における腹側の平面視において、前記男性用下着の略中心から前記前立て部と前記後身頃との縫合部までの間において、前記表側前立て部と前記裏側前立て部とが縫合されていないことを特徴とする、男性用下着。
【請求項２】
前記前立て部は、前開きの表側開口部を形成し、
前記男性用下着を平面に載置した状態における腹側の平面視において、前記男性用下着の略中心線近傍であって、前記表側開口部の下端水平線から前記前立て部と前記後身頃との縫合部までの間において、前記表側前立て部と前記裏側前立て部とが縫合されていないことを特徴とする、請求項１に記載の男性用下着。
【請求項３】
前記膨出部は、前記表側前立て部および前記裏側前立て部がそれぞれ備える縫合部により構成される立体形状を備え、前記縫合部が別々に構成されることを特徴とする、請求項１または請求項２に記載の男性用下着。
【請求項４】
前記前立て部において、肌側の反対の面が撥水加工されていることを特徴とする、請求項１〜請求項３のいずれかに記載の男性用下着。
【請求項５】
前記男性用下着を構成する各部を縫合する糸は、防水糸であることを特徴とする、請求項１〜請求項４のいずれかに記載の男性用下着。
【発明の詳細な説明】
【技術分野】
【０００１】
本発明は、男性が立位にて排尿した後に局部を下着内に収納したときに、尿道に残存等した尿が下着内で滴下しても、ズボン等のアウターが汚れることのない男性用下着に関する。
【背景技術】
【０００２】
近年、少子高齢化が進む我が国では、２０２０年には４人に１人が高齢者になると予測されている。加齢とともに衰える身体機能の中でも、特に尿失禁または尿漏れに関する問題を抱える人は非常に多い。また、女性の場合、加齢とともに尿失禁または尿漏れによる悩みを抱える人が増加してくる傾向にある。従来、この解決策として、通常の生活をしている尿漏れ量の少ない人（軽失禁）には、厚手の生地に防水カバーをつけたような失禁パンツで対応してきて、尿漏れ量の多い人（軽失禁〜中失禁）には、紙オムツで対応したり紙パットをオムツカバーに付けて対応したりしてきた。この尿漏れ量の程度は、個人差が大きく、様々な商品（介護商品を含む）が市場に出回っている。
【０００３】
一方、男性においては、健常者であっても、このような軽失禁よりもさらに少量の尿が滲み出る軽い症状であって、排尿後に局部（陰茎）をよく振ったにもかかわらず、パンツに局部を収納してズボン等のアウターのファスナーを閉じて、小便器から離れようと歩き始めると、じわじわとまたはだらだらと尿が滲み出ることがある。加齢が進むに従い（たとえば５０歳代半ば以降）、排尿後に尿道内に残存している尿が滴下する傾向は多くなる。これは、尿道をとりかこむ球海綿体筋の収縮機能が低下することなどが原因と言われている。この排尿後滴下の程度は、尿失禁または尿漏れと同じく個人差が大きいものの、軽失禁と呼ばれる場合の尿量（５〜１０ｍｌ）よりも少なく、おおよそ１〜２ｍｌ程度といわれている。
【０００４】
このような排尿後滴下については、上述した女性の尿失禁および尿漏れとは異なり、その尿量の少なさ故に疾病とは言えるものではない。しかしながら、潜在者を含めて、このような排尿後滴下の症状に悩まされる健常な男性は少なくない。このような症状に悩まれる男性の多くは、たとえば、特開２０１１−１７９１３９号公報（特許文献１）に示すような失禁パンツを着用して対応することになる。
【０００５】
この特許文献１に開示された失禁パンツの着用感は、たとえば、特開平１０−１８３４０１号公報（特許文献２）に示すような着用感が良好なパンツとは大きく異なり、好ましい着用感が得られない。
このために、着用感が良好で排尿後滴下の問題を解決するためには、特許文献２に開示されたような履き心地の良いパンツに、特許文献１に開示された平面視略アーモンド形状の尿吸収シートを設ければ良いことになる。
【先行技術文献】
【特許文献】
【０００６】
【特許文献１】特開２０１１−１７９１３９号公報
【特許文献２】特開平１０−１８３４０１号公報
【発明の概要】
【発明が解決しようとする課題】
【０００７】
しかしながら、特許文献１に開示された失禁パンツは、その失禁用パンツ主体部に尿吸収パッドを取り付けるにあたり、尿吸収パッドはパンツ主体部の縫製の途次、前立部と左右の前身頃および後身頃との縫製後に前立部の内面に左右の前身頃間に縫着される。このように縫着してしまうと、ミシンの穿孔穴および／または縫目から尿が伝播して、失禁パンツの表側（すなわちアウターであるズボン側）へ滲み出す可能性がある。
【０００８】
さらに、特許文献１に開示された平面視略アーモンド形状の尿吸収シートを特許文献２に開示されたパンツに適用すると、ミシンの穿孔穴および／または縫目の問題に加えて、着用感を向上させるための膨出部を形成する前身側股部と前身中央生地との縫合位置（特許文献２の図１に示す接続縫着部４０）が、外尿道口の近傍に位置することになり、排尿
後に尿が滲み出た場合に、この縫合位置のミシンの穿孔穴および／または縫目から尿が伝播して、パンツの表側（すなわちアウターであるズボン側）へ滲み出す可能性がある。
【０００９】
このように、たとえ失禁パンツの着用感を向上させることができたとしても、排尿後滴下した尿が縫合線のミシンの穿孔穴や縫目からアウターへ滲み出す可能性がある。
本発明は、このような問題点に鑑みて開発されたもので、疾病者が着用する失禁パンツとは形態が異なり通常の履き心地の良い下着であって、かつ、排尿後滴下があったとしてもズボン等のアウターに滲み出して汚すことのない健常な男性向けの男性用下着を提供することを目的としている。
【課題を解決するための手段】
【００１０】
上記目的を達成するため、本発明に係る男性用下着は以下の技術的手段を講じている。
すなわち、本発明に係る男性用下着は、前身頃および後身頃が一体化された身生地部と、腰ゴム部と、局部を収納する膨出部を備えた前立て部とが縫合された男性用下着であって、前記前立て部は、表側前立て部と裏側前立て部とから構成され、前記男性用下着を平面に載置した状態における腹側の平面視において、前記男性用下着の略中心から前記前立て部と前記後身頃との縫合部までの間において、前記表側前立て部と前記裏側前立て部とが縫合されていないことを特徴とする。
【００１１】
好ましくは、前記前立て部は、前開きの表側開口部を形成し、前記男性用下着を平面に載置した状態における腹側の平面視において、前記男性用下着の略中心線近傍であって、前記表側開口部の下端水平線から前記前立て部と前記後身頃との縫合部までの間において、前記表側前立て部と前記裏側前立て部とが縫合されていないように構成することができる。
【００１２】
さらに好ましくは、前記膨出部は、前記表側前立て部および前記裏側前立て部がそれぞれ備える縫合部により構成される立体形状を備え、前記縫合部が別々に構成することができる。
さらに好ましくは、前記前立て部において、肌側の反対の面が撥水加工されているように構成することができる。
【００１３】
さらに好ましくは、前記男性用下着を構成する各部を縫合する糸は、防水糸であるように構成することができる。
【発明の効果】
【００１４】
本発明によれば、疾病者が着用する失禁パンツとは形態が異なり通常の履き心地の良い下着であって、かつ、排尿後滴下があったとしてもズボン等のアウターに滲み出して汚すことのない男性用下着を提供することができる。
【図面の簡単な説明】
【００１５】
【図１】本発明に係る男性用下着の概略構成を示す正面図である。
【図２】図１に示す男性用下着の背面図である。
【図３】図１に示す男性用下着を着用した状態で股下を見上げた図である。
【図４】図１に示す男性用下着を着用した状態で着用者が上方から見下ろした方向のＡ−Ａ断面図である。
【図５】図１に示す男性用下着を着用した状態を示す斜視図である。
【図６】比較例である男性用下着を着用した状態で着用者が上方から見下ろした方向のＡ−Ａ断面図である。
【図７】図６に示す男性用下着を着用した状態を示す斜視図である。
【発明を実施するための形態】
【００１６】
以下、本発明の実施の形態として、男性用下着１００を、図面に基づき詳しく説明する。なお、以下においては、前立て部１２０が前開きの表側開口部を備える男性用下着１００について説明するが、本発明はこれに限定されるものではなく、このような表側開口部を備えない男性用下着であっても構わない。
＜男性用下着の全体構成＞
図１〜図３は、本実施の形態に係る前開きタイプの男性用下着１００を示す図であって、図１は男性用下着１００の概略構成を示す正面図であって、図２は男性用下着１００の
背面図であって、図３は男性用下着１００を着用した状態で股下を見上げた図である。
【００１７】
これらの図に示すように、この男性用下着１００は、大きくは、脇部を覆う前身側脇部（前身頃）１３２および臀部を覆う後身頃１３４から構成される一体化身生地部１３０と、裾部１４０と、腰ゴム部１５０と、男性の局部を収納する膨出部を備えた前立て部１２０とが縫合されて構成されている。この男性用下着１００を構成する各部を縫合する糸は、防水糸であることが好ましい。
【００１８】
前立て部１２０は、表側前立て部１２２と裏側前立て部１２４との二重構造で構成され、前開きの表側開口部を形成している。裏側前立て部１２４において、肌側の反対の面が撥水加工されており、男性が排尿後に局部（陰茎）をこの男性用下着１００に収納したときに、この男性用下着１００内で滴下した尿は、肌側の面により速やかに吸収されて、撥水加工された肌側の反対の面から尿が滲み出すことを防止している。裏側前立て部１２４を編成する原糸として、綿等の天然繊維以外に、キュプラ、ビスコースレーヨン等の再生セルロース繊維、吸水加工されたポリエステル等の合成繊維等、吸水性を有する繊維を用いることができ、また、編地としてフライス編みやスムース編み、更には天竺編み等の緯編地や、ラッセル編み等の経編地が好適に用いられる。裏側前立て部１２４の肌側の反対の面に施されている撥水加工としては、シリコーン系撥水剤、フッ素系撥水剤など、通常の合成繊維の撥水剤として使用されるものを用いればよく、特に限定されない。中でも、耐久性や安全性の観点から、フッ素系撥水剤が好ましい。加工手段としては、ローラー捺染やスクリーン捺染、インクジェットプリント等の捺染手段により、撥水加工を容易に施すことができる。
【００１９】
捺染による撥水加工は、裏側前立て部１２４の肌側の反対の面の面積に対して４０％以上に施されていることが好ましい。
前立て部１２０が、消臭・抗菌加工されていれば、さらに好ましく、生地片に吸収された体液の臭いが消臭機能によって消臭され、長時間快適な状態を維持することができる。
例えば、特許第３７８７６７５号に開示されているように、原糸となる繊維をキトサン及び／または修飾キトサン、カルボン酸ポリマー、酸化亜鉛及びバインダー樹脂を含む処理液で処理し、これらの被覆層が形成された繊維を用いることにより、優れた消臭効果を奏し、かつ耐洗濯性（耐久性）の良好な肌着等の生地が得られる。なお、肌側の面に吸水加工を施すことも好ましい。吸水加工としては、例えばポリエステルのアルカリ減量加工や、ポリエステルポリアルキレングリコール共重合樹脂いわゆる吸水ポリエステル樹脂や、セルロース、親水シリコン等の親水性を持つ加工剤を繊維表面へ付着することなどが挙げられる。
【００２０】
さらに、このように前立て部１２０の肌側の反対の面から尿が滲み出すことを防止するためであれば、表側前立て部１２２においても、このような吸水加工および／または撥水加工することも好ましい。
また、裏側前立て部１２４の肌側の反対の面を疎水性糸で構成することもできる。疎水性糸は特に限定されないが、ポリプロピレン糸、ポリエステル撥水加工糸、アクリル系撥水加工糸、ナイロン撥水加工糸、アセテート撥水加工糸及びエチレンビニルアルコール撥水加工糸などが好適に用いられる。
【００２１】
表側前立て部１２２は、たとえば、先ず緯編地や経編地などの編地や、または織地などで凸状形側縁部を形成するように裁断しておいて、この側縁部を凸状曲線に沿って一体的に縫合線１７０にて縫合して凸状に膨出した膨出部を備えるように形成されている。これにより、腹部および／または男性の局部を過度に締め付けず、柔らかく被覆できる。
裏側前立て部１２４は、たとえば、一重の緯編地や経編地などの編地や、または織地などにより構成され、裏側前立て部１２４の身丈の長さを表側前立て部１２２の身丈の長さよりも短くしてあり、さらに裏側前立て部１２４の下縁部は、股部側に何等縫合されることなく、開放状に形成して、小用時に局部を容易に取り出せるようにしてある。
【００２２】
なお、詳しくは後述するが、前立て部１２０を構成するこれらの表側前立て部１２２および裏側前立て部１２４は、それぞれが別個に備える縫合部により構成される立体形状を備え、これが男性の局部を収納する膨出部として機能する。
一体化身生地部１３０は、前身側脇部１３２および後身頃１３４を一体的に形成してなる一体化身生地部で、前身側脇部１３２は、縫合線１７０により、前立て部１２０（表側前立て部１２２および裏側前立て部１２４）と、前開きの表側開口部を形成するように、一体的に縫合されている。後身頃１３４は、縫合線１８０により、前立て部１２０（表側前立て部１２２および裏側前立て部１２４）と、一体的に縫合されている。
【００２３】
裾部１４０は、脚部の裾周り下端部に、輪状に形成した伸縮性のある適宜な細幅生地から形成してあり、一体化身生地部１３０の下端部に、二重に折曲げた状態で裾周りに適宜縫合するようにしてある。
腰ゴム部１５０は、胴回り部に、輪状に形成した伸縮性のある適宜な細幅生地から形成してあり、一体化身生地部１３０、表側前立て部１２２および裏側前立て部１２４のウエスト側上端部に適宜縫合するようにしてある。
【００２４】
＜本実施の形態に係る男性用下着の前立て部の構成＞
本実施の形態に係る男性用下着１００は、以下のような特徴を備える前立て部１２０により構成されている。
図４に、男性用下着１００を着用した状態で着用者が上方から見下ろした方向の図１のＡ−Ａ断面図を示す。したがって、紙面右側が右足側であって紙面左側が左足側であって、紙面上側が表側であって紙面下側が肌側である。
【００２５】
図４（Ａ）は、表側前立て部１２２および裏側前立て部１２４がともに１枚の生地で構成された場合の断面図で、図４（Ｂ）は、表側前立て部１２２は１枚の生地で構成されているが裏側前立て部１２６が２枚の生地（表側生地１２６Ｆおよび肌側生地１２６Ｓ）で構成された場合の断面図である。
図４（Ａ）および図４（Ｂ）は、いずれも、男性用下着１００を平面に載置した状態における腹側の平面視において、男性用下着１００の略中心線近傍であって、表側開口部の下端（図１に示すＢ点）から前立て部１２０と後身頃１３４との縫合線１８０までの間（この間には縫合線１８０は含まない）における断面図である。この男性用下着１００の略中心線近傍であって、表側開口部の下端から前立て部１２０と後身頃１３４との縫合線１８０までの間の領域を図１に２点鎖線で囲まれた領域Ｃで示す。この領域Ｃにおいて、前立て部１２０は、男性の局部を収納するために立体形状になるように縫合されている。なお、この領域Ｃは、男性の外尿道口の近傍の位置に対応している。
【００２６】
図４（Ａ）に示す、裏側前立て部１２４が１枚の生地で構成されている場合について説明する。領域Ｃにおける表側前立て部１２２を構成する、右側の表側前立て部１２２Ｒと左側の表側前立て部１２２Ｌとが肌側に形成された縫合部１６２により縫合されて、表側前立て部１２２が立体的に形成されている。このとき、男性用下着１００の表側から縫合線１６０を視認することができる。
【００２７】
また、領域Ｃにおける裏側前立て部１２４を構成する、右側の裏側前立て部１２４Ｒと左側の裏側前立て部１２４Ｌとが表側に形成された縫合部１６４により縫合されて、裏側前立て部１２４が立体的に形成されている。このとき、男性用下着１００の肌側に縫合部（縫い目）が出ないようにしている。さらに、右側の裏側前立て部１２４Ｒと左側の裏側前立て部１２４Ｌを含む裏側前立て部１２４を構成する１枚の生地において、表側は撥水加工された面であって、肌側は吸水加工された面である。
【００２８】
図４（Ｂ）に示す、裏側前立て部１２４が２枚の生地で構成されている場合について説明する。領域Ｃにおける表側前立て部１２２を構成する、右側の表側前立て部１２２Ｒと左側の表側前立て部１２２Ｌとが肌側に形成された縫合部１６２により縫合されている点は図４（Ａ）と同じであって、男性用下着１００の表側から縫合線１６０を視認することができる点も同じである。
【００２９】
また、領域Ｃにおける裏側前立て部１２６を構成する、表側生地１２６Ｆおよび肌側生地１２６Ｓは、以下の点において、図４（Ａ）と異なる。
裏側前立て部１２６を構成する表側（ｆｒｏｎｔ）において、右側の裏側前立て部１２６ＲＦと左側の裏側前立て部１２６ＬＦとが表側に形成された縫合部１６６により縫合されて、裏側前立て部１２６の表側生地１２６Ｆが立体的に形成されている。
【００３０】
裏側前立て部１２６を構成する肌側（ｓｋｉｎ）において、右側の裏側前立て部１２６ＲＳと左側の裏側前立て部１２６ＬＳとが表側に形成された縫合部１６８により縫合されて、裏側前立て部１２６の肌側生地１２６Ｓが立体的に形成されている。このとき、男性用下着１００の肌側に縫合部（縫い目）が出ないようにしている。
さらに、裏側前立て部１２６を構成する表側生地１２６Ｆは、撥水加工された生地であって、裏側前立て部１２６を構成する肌側生地１２６Ｓは、吸水加工された生地である。
【００３１】
なお、表側生地１２６Ｆにおいて縫合部１６６を肌側に設けて、縫合部１６６および縫合部１６８を（後述する図６に示すように）一体化して、２枚の生地（表側生地１２６Ｆおよび肌側生地１２６Ｓ）から構成される裏側前立て部１２６としても構わない。
このように、いずれの場合であっても、男性用下着１００の略中心線近傍であって、表側開口部の下端から前立て部１２０と後身頃１３４との縫合線１８０までの間の領域Ｃにおいて、表側前立て部１２２と裏側前立て部１２４とが縫合されておらず（図４（Ａ）の場合）、表側前立て部１２２と裏側前立て部１２６とが縫合されていない（図４（Ｂ）の場合）。
【００３２】
このような特徴的な前立て部１２０を備えた男性用下着１００を装着した状態の斜視図を図５に示す。この図５は、局部（陰茎）を取り出す場合、排尿している場合または収納する場合に、手で表側開口部を開いている図である。
上述したように、表側前立て部１２２と裏側前立て部１２４（または裏側前立て部１２６）とが縫合されていないので、図５に示すように、表側開口部を開くと、表側前立て部１２２と裏側前立て部１２４（または裏側前立て部１２６）とが離隔する。そして、この離隔した部分の下方は縫合線１８０により表側前立て部１２２および裏側前立て部１２４（または裏側前立て部１２６）と後身頃１３４とが縫合されているので、離隔した部分は底部を縫合線１８０とするポケットのような形状となっている。着用者が外出先で残尿量が多いことが気になるとき、または、排尿の頻度が高く総残尿量が多いときには、この部分に吸水部材を装着することにより、軽失禁より多めの尿を一時的にでも吸収することもできるようになる。
【００３３】
＜比較品に係る男性用下着の前立て部の構成＞
男性用下着１００は、上述したような特徴を備える前立て部１２０により構成されている。一方、比較品に係る男性用下着２００について説明する。
比較品に係る男性用下着２００は、外観は本実施の形態に係る男性用下着１００と同じであって、そのため、図１〜図３に示す外観を備える。
【００３４】
比較品に係る男性用下着２００を示す図であって、図４に対応する図６および図５に対応する図７をそれぞれ示す。これらの図において、男性用下着２００の構成の中で、男性用下着１００と異なる構成には、異なる参照符号を付している。
これらの図に示すように、前立て部２２０は、領域Ｃにおいて男性の局部を収納するために立体形状になるように縫合されているのであるが、表側前立て部２２２を立体的に形成するための縫合と、裏側前立て部２２４を立体的に形成するための縫合とが１つの縫合部２６４で構成されている点が異なる。このとき、男性用下着２００の表側から縫合線２６０を視認することができるとともに、男性用下着２００の肌側に縫合部（縫い目）が出ないようにしている。
【００３５】
このようにすると、前立て部２２０を構成する表側前立て部２２２および裏側前立て部２２４を１回の縫製により一度に立体形状に形成できる点で好ましい。
このように、表側前立て部２２２と裏側前立て部２２４とが領域Ｃにおいて縫合されているので、図７に示すように、表側開口部を開くと、表側前立て部２２２と裏側前立て部２２４とは離隔することなく一体として引っ張られる。すなわち、表側開口部を開いた状態であっても閉じた状態であっても、表側前立て部２２２と裏側前立て部２２４とは縫合部２６４を介して一体化されている。
【００３６】
＜作用効果＞
本実施の形態に係る男性用下着１００は、表側前立て部１２２と裏側前立て部１２４とは縫合部を共通としないで、縫合されていない。この男性用下着１００においては、男性
が排尿後に局部をこの男性用下着１００に収納したときに、尿道に残存等した尿が外尿道口からこの男性用下着１００内で滴下しても、表側前立て部１２２と裏側前立て部１２４とは縫合部を共通としておらず、一体化もされていないので、滴下した尿が、縫合部のミシンの穿孔穴および／または縫目から伝播することがなく、したがって、この男性用下着１００の表側（すなわちアウターであるズボン側）へ滲み出すことがない。
【００３７】
一方、比較例に係る男性用下着２００では、尿道に残存等した尿が外尿道口から男性用下着２００内で滴下すると、表側前立て部２２２と裏側前立て部２２４とは縫合部２６４を共通としているので、滴下した尿が、縫合部２６４のミシンの穿孔穴および／または縫目から伝播してしまい、この男性用下着２００の表側（すなわちアウターであるズボン側）へ滲み出す可能性がある。
【００３８】
以上のようにして、本実施の形態に係る男性用下着１００によると、表側開口部の下端（図１に示すＢ点）から前立て部１２０と後身頃１３４との縫合線１８０までの間の領域Ｃにおいて、表側前立て部と裏側前立て部とが縫合されていない。このため、男性が排尿後に局部をこの男性用下着１００に収納したときに、尿道に残存等した尿がこの男性用下着１００内で滴下しても、表側前立て部と裏側前立て部とが縫合されていないので、この男性用下着１００の表側（すなわちアウターであるズボン側）へ滴下した尿が滲み出すことがない。
【００３９】
＜変形例＞
なお、上述した実施の形態においては、表側前立て部１２２および裏側前立て部１２４のそれぞれにおいて立体形状を具備するための縫合部を共通化していないということにより、領域Ｃにおいて表側前立て部と裏側前立て部とが縫合されていないことを実現している。しかしながら、本発明はこれに限定されるものではなく、立体形状を具備するためであろうがなかろうが、領域Ｃにおいて表側前立て部と裏側前立て部とが縫合されていない男性用下着であれば構わない。
【００４０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００４１】
本発明は、男性用下着に好適であり、排尿後滴下があったとしてもズボン等のアウターに滲み出して汚すことのない、着用感の良好な男性用下着に特に好適である。
【符号の説明】
【００４２】
１００  男性用下着（実施例）
１２０  前立て部
１２２  表側前立て部
１２４、１２６  裏側前立て部
１３０  一体化身生地部
１３２  前身側脇部（前身頃）
１３４  後身頃
１４０  裾部
１５０  腰ゴム部
１６０、１７０、１８０  縫合線
１６２、１６４、１６６、１６８  縫合部
２００  男性用下着（比較例）
【図１】
2014114517.tif 000003
【図２】
2014114517.tif 000004
【図３】
2014114517.tif 000005
【図４】
2014114517.tif 000006
【図５】
2014114517.tif 000007
【図６】
2014114517.tif 000008
【図７】
2014114517.tif 000009